(57)【要約】【課題】ホワイトボード面に描画された画像を確認しながら会議での議論を円滑に進めることが出来る画像投影システム及び該画像投影システムに使用される画像形成装置を提供する。【解決手段】画像を描画するための描画面を備えた描画装置及び画像を投影する投影装置と通信可能な画像形成装置であって、前記描画装置の前記描画面の状態を示す状態情報と、該描画面に描画された画像情報を受信する受信部と、前記受信部に受信された前記画像情報を記憶する記憶部と、前記記憶部に記憶された前記画像情報を前記投影装置へ送信する第一の送信部と、受信された特定の状態情報に基づいて前記記憶部に記憶された画像情報を前記投影装置に前記第一の送信部を介して送信する制御部を備えたことを特徴とする画像形成装置。【選択図】図１
2011166201.tif 000002
【特許請求の範囲】
【請求項１】
画像を描画するための描画面を備えた描画装置及び画像を投影する投影装置と通信可能な画像形成装置であって、
前記描画装置の前記描画面の状態を示す状態情報と、該描画面に描画された画像情報を受信する受信部と、
前記受信部に受信された前記画像情報を記憶する記憶部と、
前記記憶部に記憶された前記画像情報を前記投影装置へ送信する第一の送信部と、
受信された特定の状態情報に基づいて前記記憶部に記憶された画像情報を前記投影装置に前記第一の送信部により送信する制御部と、を備えたことを特徴とする画像形成装置。
【請求項２】
前記特定の状態情報は、前記描画面が移動されたことを示す情報であることを特徴とする請求項１に記載の画像形成装置。
【請求項３】
前記記憶部に記憶された前記画像情報に基づくプレビュー画像を表示する表示部をさらに備えたことを特徴とする請求項１又は２に記載の画像形成装置。
【請求項４】
用紙を収納する収納部と、
前記画像情報に基づいて前記収納部に収納された用紙に画像を形成する画像形成部と、
画像形成された用紙を排紙する排紙部と、をさらに備えたことを特徴とする請求項１〜３のいずれか一項に記載の画像形成装置。
【請求項５】
原稿の画像を読取る画像読取部をさらに備え、
前記記憶部は、前記画像読取部から読取られた原稿の画像情報を記憶することを特徴とする請求項１〜４のいずれか一項に記載の画像形成装置。
【請求項６】
前記制御部は、前記記憶部に画像情報を複数頁分記憶した場合に、自動的にＮｉｎ１（Ｎ：１より大きい自然数）の複数頁画像情報を作成し、該複数頁画像情報を前記投影装置に送信することを特徴とする請求項１〜５のいずれか一項に記載の画像形成装置。
【請求項７】
前記制御部は、前記記憶部に画像情報を２頁分記憶した場合に自動的に２ｉｎ１の複数頁画像情報を作成し、又は、前記記憶部に画像情報を３頁分以上記憶した場合に自動的に４ｉｎ１の複数頁画像情報を作成することを特徴とする請求項６に記載の画像形成装置。
【請求項８】
前記画像形成装置は、通信ネットワークを介して前記投影装置とは異なる投影装置に前記記憶部に記憶された前記画像情報を送信する第二の送信部をさらに備えることを特徴とする請求項１〜７のいずれか一項に記載の画像形成装置。
【請求項９】
描画装置、投影装置及び画像形成装置を備えた画像投影システムであって、
前記描画装置は、画像を描画するための描画面と、前記描画面に描画された画像から画像情報を読取る描画読取部と、前記描画面の状態情報を検知する検知部と、前記画像情報と前記検知部により検知された状態情報を画像形成装置へ送信する第三の送信部と、を備え、
前記画像形成装置は、前記状態情報と前記画像情報を受信する受信部と、受信された前記画像情報を記憶する記憶部と、前記記憶部に記憶された前記画像情報を投影装置へ送信する第一の送信部と、受信された特定の状態情報に基づいて前記記憶部に記憶された画像情報を前記投影装置に送信するように前記第一の送信部を制御する制御部と、を備え、
前記投影装置は、前記画像情報に基づいて画像を投影する投影部を備えたことを特徴とする画像投影システム。
【請求項１０】
前記特定の状態情報は、前記描画面が移動されたことを示す情報であることを特徴とする請求項９に記載の画像投影システム。
【請求項１１】
前記描画読取部は、前記描画面を移動させることで描画された画像を読取る固定式描画読取部、又は、前記描画面を固定して該描画読取部を駆動させることで描画された画像を読取る駆動式描画読取部であることを特徴とする請求項９又は１０に記載の画像投影システム。
【請求項１２】
前記検知部は、固定式描画読取部の場合には前記描画面が移動させられて該描画面の表面が裏側へ隠れた時に前記特定の状態情報を検知する、又は、駆動式描画読取部の場合には前記描画面を固定するための固定部が解除されて描画面の表面と裏面が入れ替えられた時に前記特定の状態情報を検知することを特徴とする請求項１１に記載の画像投影システム。
【請求項１３】
前記画像形成装置は、前記記憶部に記憶された前記画像情報に基づくプレビュー画像を表示する表示部をさらに備えたことを特徴とする請求項９〜１２のいずれか一項に記載の画像投影システム。
【請求項１４】
前記画像形成装置は、用紙を収納する収納部と、前記画像情報に基づいて前記収納部に収納された用紙に画像を形成する画像形成部と、画像形成された用紙を排紙する排紙部をさらに備えたことを特徴とする請求項９〜１３のいずれか一項に記載の画像投影システム。
【請求項１５】
前記画像形成装置は、原稿の画像を読取る画像読取部をさらに備え、
前記記憶部は、前記画像読取部から読取られた原稿の画像情報を記憶することを特徴とする請求項９〜１４のいずれか一項に記載の画像投影システム。
【請求項１６】
前記制御部は、前記記憶部に画像情報を複数頁分記憶した場合に自動的にＮｉｎ１（Ｎ：１より大きい自然数）の複数頁画像情報を作成し、該複数頁画像情報を前記投影装置へ送信し、
前記投影装置は、前記複数頁画像情報に基づいて画像を投影することを特徴とする請求項９〜１５のいずれか一項に記載の画像投影システム。
【請求項１７】
前記制御部は、前記記憶部に画像情報を２頁分記憶した場合に自動的に２ｉｎ１の複数頁画像情報を作成し、又は、前記記憶部に画像情報を３頁分以上記憶した場合に自動的に４ｉｎ１の複数頁画像情報を作成することを特徴とする請求項１６に記載の画像投影システム。
【請求項１８】
前記画像形成装置は、通信ネットワークを介して前記投影装置とは異なる投影装置に前記記憶部に記憶された前記画像情報を送信する第二の送信部をさらに備えることを特徴とする請求項９〜１７のいずれか一項に記載の画像投影システム。
【発明の詳細な説明】
【技術分野】
【０００１】
本発明は、ホワイトボード等に描画された画像をプロジェクタ等によって投影するための画像形成装置、及び、画像投影システムに関する。
【背景技術】
【０００２】
従来、会議においてホワイトボードが幅広く使用されている。ホワイトボードにはスキャナが備え付けられているものも多く、このようなホワイトボードにおいては描画された画像を読取ってプリントアウトする事が可能となり、会議の議事内容の記録等に活用されている。
【０００３】
スキャナ付きホワイトボードには大きく分けて２種類のタイプがある。１つは、ホワイトボードに取り付けられたフィルムが移動可能になっており、ホワイトボードの脇に固定されたスキャナで描画された画像を読取る固定式読取タイプである。もう１つは、スキャナが駆動可能になっており、固定されたホワイトボード面をスキャナが駆動することによって描画された画像を読取る駆動式読取タイプである。
【０００４】
一般的に、固定式読取タイプは、３面以上からなるフィルムが折りたたまれてホワイトボードに収容されているため、３面以上の画像を消さずに保持することが可能である。一方で、駆動式読取タイプは、描画できるホワイトボード面が表裏の２面となってしまうので固定式読取タイプよりも画像を多く保持することが出来ないが、ホワイトボード面の表裏を見るだけで画像の消し忘れを容易に確認できるといった利点がある。
【０００５】
しかしながら、このような固定式読取タイプと駆動式読取タイプは共にホワイトボードに描画できる面の数が決まっているため、それを超えて描画する必要がある場合にはホワイトボード面に描画された画像をその都度消さなければならない。
【０００６】
そのため、消された画像を再度確認したい場合には、事前にスキャナで画像を読取ってプリントアウトするなどの対応が必要とされている。
【０００７】
これに対応するための技術として、例えば特許文献１がある。特許文献１に記載されたホワイトボードでは、ホワイトボード面に描画された画像を読取った後に、読取られた画像をホワイトボード面に再描画することを可能としている。これにより、仮に画像が一度消されたとしてもホワイトボード面に再描画されるので終了した議題について容易に再検討することを可能とした。
【先行技術文献】
【特許文献】
【０００８】
【特許文献１】特開２０００−１２７６８４号公報
【発明の概要】
【発明が解決しようとする課題】
【０００９】
しかしながら、上記特許文献１においては、ホワイトボード面が再描画のために使用されているため、ユーザーは新規な情報をホワイトボード面に描画していくことができない。すなわち、ユーザーが再描画された画像を確認しながらホワイトボード面に新規な情報を描画するためには、再描画用のホワイトボードと新規描画用のホワイトボードの２つが必要なため、ユーザーの作業が煩雑になるとともに、会議室のスペース、コスト、利便性などの問題が生じてしまう。
【００１０】
本発明は上述したような状況に鑑みてなされたもので、その目的は、ホワイトボード面に描画された画像を確認しながら会議での議論を円滑に進めることが出来る画像投影システム、並びに、該画像投影システムに使用される画像形成装置を提供することである。
【課題を解決するための手段】
【００１１】
上記目的を達成するために、本発明の第１の特徴は、画像を描画するための描画面を備えた描画装置及び画像を投影する投影装置と通信可能な画像形成装置であって、前記描画装置の前記描画面の状態を示す状態情報と、該描画面に描画された画像情報を受信する受信部と、前記受信部に受信された前記画像情報を記憶する記憶部と、前記記憶部に記憶された前記画像情報を前記投影装置へ送信する第一の送信部と、受信された特定の状態情報に基づいて前記記憶部に記憶された画像情報を前記投影装置に前記第一の送信部により送信する制御部と、を備えたことを特徴とする画像形成装置であることを要旨とする。
【００１２】
また、本発明の第２の特徴は、描画装置、投影装置及び画像形成装置を備えた画像投影システムであって、前記描画装置は、画像を描画するための描画面と、前記描画面に描画された画像から画像情報を読取る描画読取部と、前記描画面の状態情報を検知する検知部と、前記画像情報と前記検知部により検知された状態情報を画像形成装置へ送信する第三の送信部と、を備え、前記画像形成装置は、前記状態情報と前記画像情報を受信する受信部と、受信された前記画像情報を記憶する記憶部と、前記記憶部に記憶された前記画像情報を投影装置へ送信する第一の送信部と、受信された特定の状態情報に基づいて前記記憶部に記憶された画像情報を前記投影装置に送信するように前記第一の送信部を制御する制御部と、を備え、前記投影装置は、前記画像情報に基づいて画像を投影する投影部を備えたことを特徴とする画像投影システムであることを要旨とする。
【００１３】
本発明の第１乃至第２の特徴において、特定の状態情報は、描画面が移動されたことを示す情報であるとしてもよい。これにより、例えば、描画面であるホワイトボード面が回転させられ、該ホワイトボード面が裏に移動させられたことでユーザーから画像が確認できない状況になったとしても、画像形成装置は特定の状態情報を受信することによって描画されたホワイトボード面の画像情報を投影装置へ送信し、プロジェクタが自動的に画像を投影することが出来る。
【００１４】
本発明の第１乃至第２の特徴において、画像形成装置は、前記記憶部に記憶された前記画像情報に基づくプレビュー画像を表示する表示部をさらに備えてもよい。これにより、例えば、ユーザーは表示部であるオペレーションパネル内のタッチパネルを介して画像情報に基づくプレビュー画像も確認することができる。また、例えば、表示されたプレビュー画像を選択可能にすることで、画像情報についての削除、投影の実行を選択することが出来る。
【００１５】
本発明の第１乃至第２の特徴において、画像形成装置は、用紙を収納する収納部と、前記画像情報に基づいて前記収納部に収納された用紙に画像を形成する画像形成部と、画像形成された用紙を排紙する排紙部をさらに備えてもよい。これにより、ユーザーは必要に応じて画像情報について印刷することが出来る。
【００１６】
本発明の第１乃至第２の特徴において、画像形成装置は、原稿の画像を読取る画像読取部をさらに備え、前記記憶部は、前記画像読取部から読取られた原稿の画像情報を記憶することとしてもよい。これにより、例えば、ユーザーは描画面であるホワイトボードに描画された画像情報のみならず、画像形成装置が読取った原稿の画像情報に基づいて画像を投影させることが出来る。
【００１７】
本発明の第１乃至第２の特徴において、前記制御部は、前記記憶部に画像情報を複数頁分記憶した場合に、自動的にＮｉｎ１（Ｎ：１より大きい自然数）の複数頁画像情報を作成し、該複数頁画像情報を前記投影装置に送信してもよい。これにより、作成されたＮｉｎ１の複数頁画像が自動的に投影されるので、ユーザーは煩雑な設定をすることなく一度に多くの画像情報に基づく画像を確認することが出来る。
【００１８】
本発明の第１乃至第２の特徴において、制御部は、前記記憶部に画像情報を２頁分記憶した場合に自動的に２ｉｎ１の複数頁画像情報を作成し、又は、前記記憶部に画像情報を３頁分以上記憶した場合に自動的に４ｉｎ１の複数頁画像情報を作成してもよい。これにより、作成された２ｉｎ１又は４ｉｎ１の複数頁画像が自動的に投影されるので、ユーザーは煩雑な設定をすることなく一度に多くの画像情報に基づく画像を確認することが出来る。
【００１９】
本発明の第１乃至第２の特徴において、前記画像形成装置は、通信ネットワークを介して前記投影装置とは異なる投影装置に前記記憶部に記憶された前記画像情報を送信する第二の送信部をさらに備えてもよい。これにより、例えば、他の会議室に設置された他の画像形成装置に画像情報が送信されるので、他の会議室においても該画像情報に基づいて同内容の画像を投影することが出来る。よって、異なる会議室と容易に情報を共有することが可能となる。
【００２０】
また、本発明の第２の特徴において、前記描画読取部は、前記描画面を移動させることで描画された画像を読取る固定式描画読取部、又は、前記描画面を固定して該描画読取部を駆動させることで描画された画像を読取る駆動式描画読取部であるとしてもよい。これにより、例えば、フィルム状のホワイトボード面が移動することでホワイトボードの脇に固定されたスキャナによって描画された画像を読取ることや、固定されたホワイトボード面をスキャナが駆動することによって描画された画像を読取ることが出来る。
【００２１】
本発明の第２の特徴において、前記検知部は、固定式描画読取部の場合には前記描画面が移動させられて該描画面の表面が裏側へ隠れた時に前記特定の状態情報を検知する、又は、駆動式描画読取部の場合には前記描画面を固定するための固定部が解除されて描画面の表面と裏面が入れ替えられた時に前記特定の状態情報を検知することとしてもよい。これにより、例えば、固定式描画読取部と駆動式描画読取部において、描画面であるホワイトボード面が回転して裏に移動させられたことでユーザーから画像が確認できない状況になったとしても、画像形成装置は特定の状態情報を受信することによって描画されたホワイトボード面の画像を投影装置であるプロジェクタを介して自動的に投影することが出来る。
【００２２】
本発明の第２の特徴において、投影装置は、記憶部に記憶された画像情報に基づいて画像を投影することとしてもよい。これにより、投影装置は、ホワイトボード面に描画された画像情報のみならず、記憶部に記憶された画像情報についても投影することが出来る。
【発明の効果】
【００２３】
本発明によれば、ホワイトボード面に描画された画像を確認しながら会議での議論を円滑に進めることが出来る画像投影システム及び該画像投影システムに使用される画像形成装置を提供することが出来る。
【図面の簡単な説明】
【００２４】
【図１】画像投影システム１００の構成を示す概略図。
【図２】複合機１０１の電気的接続を示したブロック図。
【図３】ホワイトボード１０２の説明図。
【図４】オペレーションパネル１１６の外観図。
【図５】タッチパネル１３０に表示される各種選択画面の一例。
【図６】設定されているプロジェクタによって１ｉｎ１表示又はＮｉｎ１表示で投影される画像の一例。
【図７】設定されているプロジェクタによって投影される各種選択画面の一例。
【図８】ＣＰＵ１１１のメイン動作フロー。
【図９】ＣＰＵ１１１のメイン動作フロー。
【図１０】プロジェクタモード操作メニューの動作フロー。
【図１１】「（１）スキャン」の動作フロー。
【図１２】「（１）スキャン」の動作フロー。
【図１３】Ｎｉｎ１表示設定フロー。
【図１４】「（３）印刷」の動作フロー。
【図１５】「（４）表示切替」の動作フロー。
【図１６】「（４）表示切替」の動作フロー。
【図１７】「（５）削除」の動作フロー。
【図１８】キャリッジ移動タイプのホワイトボード１０２ｂから読取り面裏移動ステータスを例外的に受信して画像を投影する際の動作フロー。
【発明を実施するための形態】
【００２５】
以下、本発明の実施形態について説明するが、本発明は以下の実施形態に限定されない。
【００２６】
図１は、本発明の実施形態における画像投影システム１００の構成を示す概略図である。
【００２７】
画像投影システム１００は、用紙に画像を形成する複合機１０１、ユーザーが文字や図形などの画像を描画するホワイトボード１０２、画像を投影するプロジェクタ１０３、を備え、さらに画像投影システム１００はネットワーク１０４により接続された外部プロジェクタ１０５と接続されている。
【００２８】
複合機１０１は、プロジェクタ、スキャン、コピー、ファックス、プリントの機能を備える。また、複合機１０１は、ホワイトボード１０２のホワイトボード面に描画された画像から画像データを取得し、得られた画像データに基づいてプロジェクタ１０３を介して画像を投影する。つまり、画像データとは、ホワイトボード１０２のホワイトボード面に描画された画像を図示しないスキャナにより読取ることで取得した「画像情報」を示す。なお、画像情報は、複合機１０１のスキャン機能により取得することも可能である。以降、画像データを画像情報として説明する。
【００２９】
また、複合機１０１は、ネットワーク１０４を介して画像情報を外部プロジェクタ１０５へ送信し、他の会議室等においても同一の画像を投影することを可能とする。
【００３０】
ホワイトボード１０２は、図示しないスキャナとプリンタを備えており、本発明の実施形態においては会議室に設置されていることとする。会議などの際には、ユーザーは、ホワイトボード１０２のホワイトボード面に描画した画像をスキャナにより読取り、読取られた画像情報に基づいてプリンタにより印刷することが出来る。
【００３１】
また、ホワイトボード１０２は、図示しないＵＳＢ（Universal Serial Bus）Ｉ／Ｆも備えており、これを介して複合機１０１に画像情報を送信する。
【００３２】
つまり、ホワイトボード１０２は、本発明の「描画装置」に相当し、ホワイトボード面は「描画面」に相当し、図示しないスキャナは「描画読取部」に相当し、図示しないＵＳＢインターフェースは「第三の送信部」に相当する。
【００３３】
プロジェクタ１０３は、ホワイトボード１０２と同じホワイトボード１０２から読取られた画像情報や複合機１０１のスキャン機能により読取った原稿の画像情報に基づいて図示しない投影部によって画像を投影する。つまり、プロジェクタ１０３は、本発明の「投影装置」に相当する。
【００３４】
ネットワーク１０４は、イーサネット（登録商標）、トークンリング、ＦＤＤＩ等の規格によりコンピュータやネットワーク機器同士を接続したＬＡＮや、ＬＡＮ同士を接続したＷＡＮ等からなる。
【００３５】
外部プロジェクタ１０５は、プロジェクタ１０３とは異なる会議室などに設置されており、ネットワーク１０４を介して受信した画像情報に基づいて画像を投影する。
【００３６】
図２は、複合機１０１の電気的接続を示したブロック図である。複合機１０１は、ＣＰＵ（Central Processing Unit）１１１、ＲＡＭ（Random Access Memory）１１２、ＲＯＭ（Read Only Memory）１１３、モータードライバ１１４、ＩＲ／ＡＤＦモーター１１５、オペレーションパネル１１６、収納部１１７、排紙部１１８、モデム１１９、画像・各Ｉ／Ｆ処理部１２０、ＣＣＤ（Charge Coupled Device）１２１、ＵＳＢ（Universal Serial Bus）Ｉ／Ｆ１２２、ＮＩＣ（Network Interface Card）Ｉ／Ｆ１２３、ＨｏｓｔＵＳＢＩ／Ｆ１２４、ＶＩＤＥＯＩ／Ｆ１２５、画像処理用ＲＡＭ１２６、プリントエンジン１２７を備え、各部はバスによって接続されている。
【００３７】
ＣＰＵ１１１は、ＲＯＭ１１３に記憶されている各種プログラムデータの中から指定されたプログラムデータをＲＡＭ１１２に展開し、該ＲＡＭ１１２に展開されたプログラムデータとの協働により各部を統括的に制御して各種処理を実行する。つまり、ＣＰＵ１１１は、本発明の「制御部」に相当する。例えば、ＣＰＵ１１１は、画像・各Ｉ／Ｆ処理部１２０を制御して画像情報の送受信や画像処理を行う。
【００３８】
ＲＡＭ１１２は、ＣＰＵ１１１に作業領域を提供するとともに、各種データを一時的に記憶するためのメモリ領域を提供する。例えば、画像情報と、オペレーションパネル１１６から入力された印刷条件を記憶する。つまり、ＲＡＭ１１２は、本発明の「記憶部」に相当する。
【００３９】
ＲＯＭ１１３は、前述の通り各種プログラムデータを記憶している。
【００４０】
モータードライバ１１４は、ＣＰＵ１１１の指示に従いＩＲ／ＡＤＦモーター１１５の制御を行う。
【００４１】
ＩＲ／ＡＤＦモーター１１５は、モータードライバ１１４により制御される。具体的には、ＩＲ（Image Reader）により原稿を読取る際にはＣＣＤ１２１を主走査方向に駆動させ、ＡＤＦ（Auto Document Feeder）により原稿を読取る際には原稿を給紙するモーターを駆動する。
【００４２】
オペレーションパネル１１６は、図４に外観図を示すとおり、ＬＣＤ（Liquid Crystal Display）等の表示画面と一体的に形成されたタッチパネル１３０と、メニューキーやテンキー等からなる操作キー群１３１と、Ｐｒｏｊｅｃｔｏｒキー１３２、Ｓｃａｎキー１３３、Ｃｏｐｙキー１３４、Ｆａｘキー１３５、Ｂ＆ＷＳｔａｒｔキー１３６ａ、ＣｏｌｏｒＳｔａｒｔキー１３６ｂ、Ｓｔｏｐ／Ｒｅｓｅｔキー１３７を備える。
【００４３】
タッチパネル１３０は、ユーザーの指先やタッチペン等により接された位置を検出し、ユーザーからの操作指示を受け付ける。例えば、ユーザーは、タッチパネル１３０と、操作キー群１３１と、その他各種キーを操作することで、印刷条件や画像を投影する際の設定等に関する情報を入力することが出来る。つまり、タッチパネル１３０は、本発明の「表示部」に相当する。なお、画像を投影する際の設定手順については後述することとする。
【００４４】
収納部１１７は、用紙を積載するためのトレイを複数備え、当該トレイに用紙が収納される。
【００４５】
排紙部１１８は、画像処理用ＲＡＭ１２６やＲＡＭ１１２に記憶された画像情報に基づいて画像形成された用紙を排紙し、排紙された用紙を図示しない排紙トレイに積載する。
【００４６】
モデム１１９は、外部公衆回線と接続されており、外部公衆回線を通じて画像情報をファックスコマンドとして送受信する。つまり、モデム１１９は、本発明の「第二の送信部」に相当する。
【００４７】
画像・各Ｉ／Ｆ処理部１２０は、ＣＣＤ１２１、ＵＳＢＩ／Ｆ１２２、ＮＩＣＩ／Ｆ１２３、ＨｏｓｔＵＳＢＩ／Ｆ１２４、ＶＩＤＥＯＩ／Ｆ１２５の接続を有し、ＣＰＵ１１１から指示を受けて各インターフェースの制御を行う。
【００４８】
さらに、画像・各Ｉ／Ｆ処理部１２０は、画像情報に対して階調補正やスクリーニングなどの画像処理を施し、画像処理後の情報を画像処理用ＲＡＭ１２６またはＲＡＭ１１２に記憶する。なお、本発明の実施形態においては、画像処理後の画像情報は、ＲＡＭ１１２に記憶されるものとする。
【００４９】
また、オペレーションパネル１１６のＰｒｏｊｅｃｔｏｒキー１３２、Ｓｃａｎキー１３３、Ｃｏｐｙキー１３４、Ｆａｘキー１３５が押下された場合、画像・各Ｉ／Ｆ処理部１２０は、ＣＰＵ１１１の指示に従ってプロジェクタモード、スキャンモード、コピーモード、ファックスモードの各処理を実行する。
【００５０】
具体的には、スキャンモードの場合、画像情報がＣＣＤ１２１から取得され、画像処理がなされた後にＲＡＭ１１２に記憶される。コピーモードの場合はＲＡＭ１１２に記憶された画像情報がプリントエンジン１２７に出力され、ファックスモードの場合はＲＡＭ１１２に記憶された画像情報がモデム１１９に出力され、プロジェクタモードの場合はＲＡＭ１１２に記憶された画像情報がＮＩＣＩ／ＦやＶＩＤＥＯＩ／Ｆに出力される。なお、プロジェクタモードの処理の詳細については後述する。
【００５１】
また、プリントやファックスのジョブを受信した場合は、プリントのジョブはＵＳＢＩ／Ｆ１２２やＮＩＣＩ／Ｆ１２３経由で受信し、ファックスのジョブはモデム１１９経由で受信する。そして、各ジョブは、各機能に応じた画像処理を施した後にＲＡＭ１１２に保存され、プリントエンジン１２７に出力される。
【００５２】
ＣＣＤ１２１は、原稿に対して光走査を実行させ、原稿の画像を電気信号に変換して画像情報を取得する。つまり、ＣＣＤ１２１は、本発明の「画像読取部」に相当する。
【００５３】
ＵＳＢＩ／Ｆ１２２は、共通のコネクタでさまざまな周辺機器に接続するためのインターフェースである。本発明の実施形態においては、ＵＳＢＩ／Ｆ１２２は、前述のように、プリントのジョブを受信するために用いられる。
【００５４】
ＮＩＣＩ／Ｆ１２３は、ネットワーク１０４を介してパソコンやプロジェクタなどに接続するためのインターフェースである。本発明の実施形態においては、ＮＩＣＩ／Ｆ１２３は、ネットワーク１０４を介して外部プロジェクタ１０５に接続するために用いられている。つまり、ＮＩＣＩ／Ｆ１２３はモデム１１９と同様に本発明の「第二の送信部」に相当する。
【００５５】
ＨｏｓｔＵＳＢＩ／Ｆ１２４は、会議室等に設置されたホワイトボード１０２のホワイトボード面に描画された画像情報やホワイトボード面の状態を示す状態情報を取得するためのインターフェースである。なお、取得された画像情報は、画像処理を施した後に画像処理後の画像情報をＲＡＭ１１２に記憶される。つまり、ＨｏｓｔＵＳＢＩ／Ｆ１２４は、本発明の「受信部」に相当する。
【００５６】
ＶＩＤＥＯＩ／Ｆ１２５は、ホワイトボード１０２と同じ会議室に設置されたプロジェクタ１０３に接続するためのインターフェースである。つまり、ＶＩＤＥＯＩ／Ｆ１２５は、本発明の「第一の送信部」に相当する。
【００５７】
画像処理用ＲＡＭ１２６は、画像・各Ｉ／Ｆ処理部１２０にて画像処理された画像情報を一時的に記憶する。つまり、画像処理用ＲＡＭ１２６は、ＲＡＭ１１２と同様に本発明の「記憶部」に相当する。
【００５８】
プリントエンジン１２７は、ＣＰＵ１１１の指示に従って、画像処理用ＲＡＭ１２６やＲＡＭ１１２に記憶された画像処理後の画像情報に基づいて、収納部に収納されている用紙に画像形成を実行する。つまり、プリントエンジン１２７は、本発明の「画像形成部」に相当する。
【００５９】
次に、図３を用いてホワイトボード１０２について説明する。
【００６０】
図３には、シートフィードタイプのホワイトボード１２０ａと、キャリッジ移動タイプのホワイトボード１０２ｂによって読取った画像をプロジェクタに投影する際のタイミングの一例を示す。
【００６１】
シートフィードタイプのホワイトボード１２０ａとは、ホワイトボードに取り付けられたフィルム状のホワイトボード面が駆動することによって、ホワイトボードの脇に固定されたスキャナで描画された画像を読取る固定式読取タイプのことである。つまり、シートフィードタイプのホワイトボード１２０ａに備えられたスキャナは、本発明の「固定式描画読取部」に相当する。
【００６２】
また、キャリッジ移動タイプのホワイトボード１０２ｂとは、固定されたホワイトボード面をスキャナが駆動することによって描画された画像を読取る駆動式読取タイプのことである。つまり、キャリッジ移動タイプのホワイトボード１０２ｂに備えられたスキャナは、本発明の「駆動式描画読取部」に相当する。
【００６３】
従来、シートフィードタイプのホワイトボード１２０ａは、スキャナによって描画された画像を読取った後に、描画されたホワイトボード面が裏に移動して隠れてしまうため、次のホワイトボード面を使って議論している間は裏に隠れたホワイトボード面を見ることができない。
【００６４】
また、キャリッジ移動タイプのホワイトボード１０２ｂにおいても、ユーザーがスキャナによって描画された画像を読取った後に、例えば、ホワイトボード面下部中央に配置されたロックを外して描画されたホワイトボード面を回転させて裏に移動させた場合に、次のホワイトボード面を使って議論している間は裏に隠れた面を見ることができない。
【００６５】
しかしながら、本発明においては、シートフィードタイプのホワイトボード１２０ａを使用する場合には、画像の読取りが終了した後に、描画されたホワイトボード面が裏に移動したとの情報を受け取ることを契機として、読取られた画像情報が複合機１０１に送信、保存され、該画像情報に基づく画像が自動的にプロジェクタによって投影される。よって、描画されたホワイトボード面が裏に隠れたとしても、隠れたホワイトボード面の画像が自動的にプロジェクタ１０３に投影されるので、画像を確認しながら新たなホワイトボード面を使って議論を続けることが出来る。
【００６６】
具体的には、描画された画像の読取りが完了した際に、シートフィードタイプのホワイトボード１２０ａから複合機１０１に読取り面裏移動ステータスが送信される。ここで言う読取り面裏移動ステータスとは、ホワイトボードのフィルムが回転して描画されたホワイトボード面が裏に隠れたとの情報である。つまり、読取り面裏移動ステータスは、本発明の「特定の状態情報」に相当する。
【００６７】
シートフィードタイプのホワイトボード１２０ａにおいては、画像の読取りが完了することにより描画されたホワイトボード面が裏に隠れるので、スキャナによって画像の読取りが完了したとの情報を読取り面裏移動ステータスとすることが好ましい。しかしながら、読取り面裏移動ステータスは、これに限定されるものではなく、例えば、ホワイトボードのフィルム駆動させるモーターから一定距離回転したとの距離情報であってもよい。
【００６８】
同様に、本発明においては、キャリッジ移動タイプのホワイトボード１０２ｂを使用する場合には、スキャナによって画像を読み取った後、ロックを外して描画されたホワイトボード面を回転させて裏に移動させると、画像情報が複合機１０１に送信、保存され、該画像情報に基づく画像が自動的にプロジェクタによって投影される。よって、描画されたホワイトボード面が裏面に移動したとしても、隠れたホワイトボード面の画像が自動的にプロジェクタによって投影されるので、画像を確認しながら次のホワイトボード面を使って議論を続けることが出来る。
【００６９】
具体的には、描画された画像の読取りを完了した後、ホワイトボード面が表裏反転されると、キャリッジ移動タイプのホワイトボード１０２ｂから複合機１０１に読取り面裏移動ステータスが送信される。ここで言う読取り面裏移動ステータスは、例えば、ロックを外してホワイトボード面が回転して再度ロックされたとの情報であり、ロックにボタン式の物理的センサを取りつけることによって出力される。なお、センサの種類は、物理的センサに限定されるものではなく、赤外線センサなどの光センサ、ホワイトボードに電気回路を内蔵させてロックが解除されることで電気回路が遮断される信号を検知する電気センサなど、自由に設計することが出来る。また、ホワイトボード面を回転させるために初めにロックを外した時の情報を読取り面裏移動ステータスとしてもよい。
【００７０】
次に、本発明のＣＰＵ１１１が行う各種動作フローについて説明する。
【００７１】
まず初めに、図８、図９を用いてＣＰＵ１１１のメイン動作フローについて説明する。
【００７２】
ＣＰＵ１１１は、複合機１０１の電源がＯＮされた後（Ｓ２０１）、キャリブレーション、エンジンウォーミングアップ、各ＩＯのチェックなどの初期化処理を行う。その際、プロジェクタ投影画像用カウンタｎとプロジェクタ非投影カウンタｍの値は、初期化されて０になる（Ｓ２０２）。プロジェクタ投影画像用のカウンタｎとプロジェクタ非投影カウンタｍについての詳細は後述する。
【００７３】
ＣＰＵ１１１は、全ての初期化が完了すると、プロジェクタモード、スキャンモード、コピーモード、ファックスモードの各処理を実行することが可能であるＲＥＡＤＹ状態になったと判断する（Ｓ２０３）。
【００７４】
そして、ＣＰＵ１１１は、ユーザーにより図４に示すオペレーションパネル１１６のＰｒｏｊｅｃｔｏｒキー１３２が押下され、プロジェクタモードが選択されているか否かの判断を行う（Ｓ２０４）。なお、Ｐｒｏｊｅｃｔｏｒキー１３２の位置についてはこれに限定されず、例えばタッチパネル１１６内に設けてもよく、操作性を考慮して適宜設計変更可能である。
【００７５】
ＣＰＵ１１１は、プロジェクタモードが選択されていないと判断した場合（Ｓ２０４  ＮＯ）、Ｒｅａｄｙ状態を継続する（Ｓ２０３）。なお、Ｒｅａｄｙ状態において、他のモードが選択された際には、ＣＰＵ１１１は各モードに応じた処理を実行する。
【００７６】
Ｐｒｏｊｅｃｔｏｒキー１３２が押下されることによってプロジェクタモードが選択されていると判断した場合（Ｓ２０４  ＹＥＳ）、ＣＰＵ１１１は、プロジェクタ１０３と外部プロジェクタ１０５とのどちらを画像の投影先とするかの選択画面をタッチパネル１３０に表示し（Ｓ２０５）、ユーザーからの入力を待つ（Ｓ２０６）。その際に表示される投影先選択画面１３０ａの一例を図５に示す。
【００７７】
タッチパネル１３０に表示された投影先選択画面１３０ａを介してユーザーが投影先にプロジェクタ１０３を選択した場合（Ｓ２０６  プロジェクタ）、ＣＰＵ１１１の指示により画像・各Ｉ／Ｆ処理部１２０は、ＶＩＤＥＯＩ／Ｆ１２５経由でプロジェクタ１０３が接続されているかの確認を行う（Ｓ２０７）。
【００７８】
投影先に外部プロジェクタ１０５が選択された場合（Ｓ２０６  外部プロジェクタ）、ＣＰＵ１１１は、投影先のＩＰアドレスを受付けるための入力画面をタッチパネル１３０に表示し（Ｓ２１５）、ユーザーからの入力を待つ（Ｓ２１６）。その際に表示されるＩＰアドレス入力画面１３０ｂの一例を図５に示す。
【００７９】
ユーザーがＩＰアドレスを入力した場合（Ｓ２１６  ＩＰアドレス入力）、ＣＰＵ１１１の指示により画像・各Ｉ／Ｆ処理部１２０は、ＮＩＣＩ／Ｆ１２３経由で外部プロジェクタ１０５が接続されているかの確認を行う（Ｓ２０７）。なお、ＩＰアドレス入力画面１３０ｂがタッチパネル１３０に表示されたにもかかわらず、ユーザーによるＩＰアドレスの入力が一定時間なかった場合（Ｓ２１６  ＩＰアドレス未入力）、投影先選択画面１３０ａが再表示される（Ｓ２０５）。
【００８０】
また、投影先選択画面１３０ａがタッチパネル１３０に表示されている際に、複合機１０１に備えられたＳｔｏｐ／Ｒｅｓｅｔキー１３７が押下されると（Ｓ２０６  Ｓｔｏｐ／Ｒｅｓｅｔキー押下）、ＲＥＡＤＹ状態に戻る（Ｓ２０３）。
【００８１】
Ｓ２０７において、接続が確認された場合（Ｓ２０７  ＹＥＳ）、ユーザーによって選択されたプロジェクタを投影先として設定する（Ｓ２０８）。一方で、接続が確認できない場合（Ｓ２０７  ＮＯ）、選択されたプロジェクタが未接続である旨を通知するために図５に示すような第１未接続通知画面１３０ｃをタッチパネル１３０に数秒間表示した後（Ｓ２１７）、投影先選択画面１３０ａが再表示される（Ｓ２０５）。
【００８２】
ＣＰＵ１１１は、プロジェクタ１０３または外部プロジェクタ１０５のいずれかの接続が確定された判断した後、投影先のプロジェクタの追加を行うか否かの選択画面を表示し（Ｓ２０９）、ユーザーからの入力を待つ（Ｓ２１０）。その際に表示される投影先追加選択画面１３０ｄの一例を図５に示す。
【００８３】
つまり、ユーザーは必要に応じて複数の投影先を設定することが出来るので、ホワイトボード１０２を用いて実際に会議を行っている会議室のみならず、同一の会議に参加している他の会議室にも同様の画像を外部プロジェクタ１０５によって投影することが出来る。
【００８４】
ユーザーが投影先プロジェクタの追加を希望する場合には（Ｓ２１０  追加する）、図５に示すような投影先追加選択画面１３０ｄにおいて「（１）はい」が選択されることで、プロジェクタ１０３と外部プロジェクタ１０５のどちらを画像の投影先として追加するかの投影先選択画面１３０ａがタッチパネル１３０に再度表示される（Ｓ２０５）。
【００８５】
なお、前回においてプロジェクタが選択されている場合、同一の会議室に２つのプロジェクタを使用することがあまり多くないことを鑑みて、投影先選択画面１３０ａを再度表示する際に「（１）プロジェクタ」を非表示にして、「（２）外部プロジェクタ」のみを表示させることとしてもよい。こうすることで、ユーザーが同じプロジェクタを再度選択するという誤操作を未然に防ぐことが出来る。
【００８６】
また、投影先追加選択画面１３０ｄがタッチパネル１３０に表示されている際に、複合機１０１に備えられたＳｔｏｐ／Ｒｅｓｅｔキー１３７が押下されると（Ｓ２１０  Ｓｔｏｐ／Ｒｅｓｅｔキー押下）、ＲＥＡＤＹ状態に戻る（Ｓ２０３）。
【００８７】
ユーザーが投影先プロジェクタの追加を希望しない場合（Ｓ２１０  追加しない）、投影先追加選択画面１３０ｄにおいて「（２）いいえ」が選択されることで、ＣＰＵ１１１は、接続されたプロジェクタの投影ソースの選択画面を表示し（Ｓ２１１（図９参照））、ユーザーからの入力を待つ（Ｓ２１２）。その際に表示される投影ソース選択画面１３０ｅの一例を図５に示す。なお、投影ソース選択画面１３０ｅを介して選択された投影ソースはＲＡＭ１１２に記憶される。
【００８８】
投影ソース選択画面１３０ｅにおいて、複合機１０１のスキャナが選択された場合（Ｓ２１２  複合機のスキャナ）、ＣＰＵ１１１は、ＩＲ／ＡＤＦモーターを駆動させることで複合機１０１のスキャナによって取得した画像情報を投影ソースとし、プロジェクタモード操作メニュー１３０ｇ乃至１３０ｈを表示する（Ｓ２２０）。プロジェクタモード操作メニュー１３０ｇ乃至１３０ｈについては後述する。
【００８９】
一方、外部入力装置であるホワイトボード１０２が選択された場合（Ｓ２１２  外部入力装置）、ホワイトボード１０２のスキャナによって取得した画像情報を投影ソースとし、ＣＰＵ１１１の指示により画像・各Ｉ／Ｆ処理部１２０はＨｏｓｔＵＳＢＩ／Ｆ１２４経由でホワイトボード１０２が接続されているか確認する（Ｓ２１３）。本発明の実施形態においては、外部入力装置としてキャリッジ移動タイプのホワイトボード１０２ｂが用いられることとする。なお、これ以降の説明は、キャリッジ移動タイプのホワイトボード１０２ｂが例外的に読取り面裏移動ステータスを送信することを除き、シートフィードタイプのホワイトボード１２０ａにも適用出来る。
【００９０】
ホワイトボード１０２ｂが接続されている場合は（Ｓ２１３  Ｙｅｓ）、プロジェクタモード操作メニュー１３０ｇ乃至１３０ｈを表示する（Ｓ２２０）。一方で、接続されていない場合（Ｓ２１３  Ｎｏ）は、未接続である旨を通知するために図５に示すような第２未接続通知画面１３０ｆをタッチパネル１３０に数秒間表示した後（Ｓ２１４）、投影ソース選択画面１３０ｅを再表示する（Ｓ２１１）。
【００９１】
次に、プロジェクタモード操作メニュー１３０ｇ乃至１３０ｈの動作フローについて図１０を用いて説明する。
【００９２】
プロジェクタモード操作メニュー１３０ｇ乃至１３０ｈは、「（１）スキャン」、「（２）終了」、「（３）印刷」、「（４）表示切替」、「（５）削除」の５つで構成される。その際に、タッチパネル１３０に表示されるプロジェクタモード操作メニュー１３０ｇ乃至１３０ｈの一例を図５に示す。
【００９３】
また、ＣＰＵ１１１は、プロジェクタモード操作メニュー１３０ｇ乃至１３０ｈを表示している際にホワイトボード１０２ｂから読取り面裏移動ステータスを例外的に受信すると、ＲＡＭ１１２に記憶されている画像情報をＮＩＣＩ／Ｆ１２３又はＶＩＤＥＯＩ／Ｆ１２５に出力する。
【００９４】
ここで言う例外的とは、キャリッジ移動タイプのホワイトボード１０２ｂにおいて発生する。具体的には、ホワイトボード１０２ｂのホワイトボード面の画像を読取ったにもかかわらず、ホワイトボード面を表裏反転しないがために複合機１０１に読取面裏移動ステータスが送信されない場合がある。このような場合、例えば、表裏反転がなされないままホワイトボード面の画像が消されてしまうと、削除された画像がいつまで経っても投影されない。そこで、ホワイトボード１０２ｂのホワイトボード面の画像が削除された後においても、ホワイトボード面が表裏反転されることによって読取り面裏移動ステータスを送信することとする。これにり、ＣＰＵ１１１は、読取り面裏移動ステータスを受信するので、ＲＡＭ１１２に記憶されている画像情報をＮＩＣＩ／Ｆ１２３又はＶＩＤＥＯＩ／Ｆ１２５に出力することが出来る。つまり、Ｓ２２０〜Ｓ２２６において、ＣＰＵ１１１は、タッチパネル１３０に表示されたプロジェクタモード操作メニュー１３０ｇ乃至１３０ｈを介して「（１）スキャン」、「（２）終了」、「（３）印刷」、「（４）表示切替」又は「（５）削除」が選択されたか否か、さらには読取り面裏移動ステータスを例外的に受信したか否かを監視し、何れかが選択されることによって各処理を実行する。
【００９５】
なお、本発明の実施形態においては、プロジェクタモード操作メニュー１３０ｇ乃至１３０ｈが表示されている際にＳｔｏｐ／Ｒｅｓｅｔキー１３７がユーザーに押下されるとＲＥＡＤＹ状態に戻るので、プロジェクタモードを直ちに解除することが出来る。
【００９６】
「（１）スキャン」が選択された場合（Ｓ２２１）、ＣＰＵ１１１は、複合機１０１のスキャナ又は各ホワイトボードのスキャナによってスキャンされた画像を設定されているプロジェクタに投影する処理を実行する。
【００９７】
「（２）終了」が選択された場合（Ｓ２２２）、ＣＰＵ１１１は、タッチパネル１３０に表示されたプロジェクタモード操作メニュー１３０ｇ乃至１３０ｈの表示を終了し、プロジェクタの投影ソースの選択画面に戻る（Ｓ２１１）。
【００９８】
「（３）印刷」が選択された場合（Ｓ２２３）、ＣＰＵ１１１は、選択された印刷対象について印刷を実行する。
【００９９】
「（４）表示切替」が選択された場合（Ｓ２２４）、ＣＰＵ１１１は、投影中の画像の表示設定を１ｉｎ１表示またはＮｉｎ１表示へ切り替えるか、表示対象をＲＡＭ１１２に保存されている画像に切り替える。
【０１００】
「（５）削除」が選択された場合（Ｓ２２５）、ＣＰＵ１１１は、投影中の画像又はＲＡＭ１１２に保存されている画像を削除する。
【０１０１】
また、プロジェクタモード操作メニュー１３０ｇ乃至１３０ｈを表示している際に、ホワイトボード１０２ｂから読取り面裏移動ステータスを例外的に受信した場合（Ｓ２２６）、設定されているプロジェクタへ画像を投影する。
【０１０２】
次に「（１）スキャン」、「（３）印刷」、「（４）表示切替」、「（５）削除」、及び外部入力装置から読取り面裏移動ステータスを受け付けたときの動作フローについて図１１〜図１８を用いて具体的に説明する。
【０１０３】
図１１、図１２は「（１）スキャン」の動作フローである。
【０１０４】
プロジェクタモード操作メニュー１３０ｇで「（１）スキャン」が選択された場合、Ｓｔａｒｔキー押下の指示がタッチパネル１３０に表示され（Ｓ２３０）、ユーザーからの入力を待つ（Ｓ２３１）。その際に表示されるＳｔａｒｔキー押下通知画面１３０ｉの一例を図５に示す。
【０１０５】
オペレーションパネル１１６のＢ＆ＷＳｔａｒｔキー１３６ａとＣｏｌｏｒＳｔａｒｔキー１３６ｂのいずれかが押下されことで、押下されたキーに従ってモノクロスキャン又はカラースキャンが設定される（Ｓ２３２、Ｓ２３３）。なお、Ｓｔｏｐ／Ｒｅｓｅｔキー１３７が押された場合（Ｓ２３１  Ｓｔｏｐ／Ｒｅｓｅｔキー押下）は、プロジェクタモード操作メニュー１３０ｇ乃至１３０ｈへ戻る（Ｓ２２０）。
【０１０６】
ＣＰＵ１１１は、Ｂ＆ＷＳｔａｒｔキー１３６ａ又はＣｏｌｏｒＳｔａｒｔキー１３６ｂが押下されると、プロジェクタの投影ソースの確認を行う（Ｓ２３４（図１２参照））。具体的には、ＣＰＵ１１１は、ＲＡＭ１１２にアクセスして複合機１０１のスキャナにより取得した画像情報とホワイトボード１０２ｂのスキャナによって取得した画像情報のどちらが投影ソースとして選択されているかの確認を行う。
【０１０７】
投影ソースに複合機１０１のスキャナが選択されている場合（Ｓ２３４  複合機のスキャナ）、ＣＰＵ１１１は、設定に基づいてＩＲ／ＡＤＦモーター１１５を駆動させてスキャンを実行して画像情報を取得し（Ｓ２３５）、当該画像情報の番号を示すカウンタであるプロジェクタ投影画像用カウンタｎをインクリメントし（Ｓ２３６）、画像情報と該カウンタｎを対にしてＲＡＭ１１２へ保存する（Ｓ２３７）。
【０１０８】
次に、ＣＰＵ１１１は、設定されているプロジェクタの表示設定を確認し（Ｓ２３８）、１ｉｎ１表示であると判断すると（Ｓ２３８  １ｉｎ１表示）、カウンタｎの画像情報に基づく画像を設定されているプロジェクタによって投影した後（Ｓ２３９）、プロジェクタモード操作メニュー１３０ｇ乃至１３０ｈへ戻る（Ｓ２２０）。
【０１０９】
Ｓ２３８において、Ｎｉｎ１表示であると判断すると（Ｓ２３８  Ｎｉｎ１表示）、図１３のＮｉｎ１表示設定フローへ移る。なお、本発明の実施形態においては、表示設定のデフォルトがＮｉｎ１表示に設定されていることとする。
【０１１０】
カウンタｎ＝１の場合（Ｓ２４０ａ）、そのままの画像を設定されているプロジェクタによって投影し（Ｓ２４６ａ）、プロジェクタモード操作メニュー１３０ｇ乃至１３０ｈへ戻る（Ｓ２２０）。
【０１１１】
カウンタｎ＝２の場合（Ｓ２４１ａ）、カウンタｎ＝１、２の画像情報から２ｉｎ１画像情報を作成し（Ｓ２４２ａ）、２ｉｎ１画像情報に基づく画像を設定されているプロジェクタによって投影し（Ｓ２４６ａ）、その後にプロジェクタモード操作メニュー１３０ｇ乃至１３０ｈへ戻る（Ｓ２２０）。
【０１１２】
カウンタｎ＝３の場合（Ｓ２４３ａ）、カウンタｎ＝１、２、３の画像情報から４ｉｎ１画像情報を作成し（Ｓ２４４ａ）、４ｉｎ１画像情報に基づく画像を設定されているプロジェクタによって投影し（Ｓ２４６ａ）、その後にプロジェクタモード操作メニュー１３０ｇ乃至１３０ｈへ戻る（Ｓ２２０）。
【０１１３】
カウンタｎ＞３の場合、カウンタｎ、ｎ−１、ｎ−２、ｎ−３の画像情報から４ｉｎ１画像情報を作成し（Ｓ２４５ａ）、４ｉｎ１画像情報に基づく画像を設定されているプロジェクタによって投影し（Ｓ２４６ａ）、その後にプロジェクタモード操作メニュー１３０ｇ乃至１３０ｈへ戻る（Ｓ２２０）。
【０１１４】
つまり、２ｉｎ１画像情報や４ｉｎ１画像情報といったＮｉｎ１画像情報は、本発明の「複数頁画像情報」に相当する。なお、Ｎｉｎ１画像情報はＲＡＭ１１２や画像処理用ＲＡＭ１２６に記憶される。
【０１１５】
１ｉｎ１表示の場合とＮｉｎ１表示の場合のそれぞれの場合において、設定されているプロジェクタが投影する画像の一例を図６に示す。１ｉｎ１表示の場合１４０Ａは、１つの画像情報に基づく画像が大きく投影されるため、広い会議室で多くの参加者に会議を行う場合や詳細の説明を行いたい場合に非常に有効である。一方で、Ｎｉｎ１表示の場合１４０Ｂは、最大で４つまでの画像情報に基づく画像を同時に表示することができるため、一度に多くの情報を投影することが出来る。
【０１１６】
なお、本発明の実施形態においては、Ｎｉｎ１表示のＮの最大値を４としたが、これに限定されるものではなく、Ｎを５以上に設定できる構成としてもよい。そうすることで、より多くの情報を同一画面で投影することが出来る。
【０１１７】
Ｓ２３４において、投影ソースにホワイトボード１０２ｂのスキャナが選択されている場合（Ｓ２３４  ホワイトボード１０２ｂのスキャナ）、ＣＰＵ１１１は、設定に基づいてホワイトボード１０２ｂによるスキャン実行を促す画面をタッチパネル１３０に表示し（Ｓ２４７）、一定時間内にホワイトボード１０２ｂから読取り面裏移動ステータスを受信したか監視する（Ｓ２４８）。
【０１１８】
ここで言う一定時間とは、スキャナによりホワイトボード１０２ｂのホワイトボード面の画像を読取ってから、ロックを外してホワイトボード面が表裏反転され、再度ロックされまでに必要な時間のことである。この一定時間は、ユーザーによって自由に設定される。つまり、ＣＰＵ１１１が一定時間以内に読取り面裏移動ステータスを受信しないということは、ユーザーが何らかの理由でホワイトボード面の表裏反転を行わなかったことを意味する。
【０１１９】
なお、本発明の実施形態においては、ホワイトボード１０２ｂによるスキャン実行を促す画面をタッチパネル１３０に表示させたが、これに限定されるものではなく、例えば、複合機１０１のオペレーションパネル１１６のＢ＆ＷＳｔａｒｔキー１３６ａ又はＣｏｌｏｒＳｔａｒｔキー１３６ｂから直接スキャン実行を指示してもよい。
【０１２０】
スキャン後、一定時間以内に読取り面裏移動ステータスを受信した場合（Ｓ２４８ＹＥＳ）、プロジェクタ投影画像用カウンタｎをインクリメントし（Ｓ２３６）、画像情報と該カウンタｎを対にしてＲＡＭ１１２へ保存する（Ｓ２３７）。
【０１２１】
次に、ＣＰＵ１１１は、プロジェクタの表示設定を確認し（Ｓ２３８）、１ｉｎ１表示であると判断すると（Ｓ２３８  １ｉｎ１）、カウンタｎの画像情報に基づく画像を設定されているプロジェクタへ投影した後（Ｓ２３９）、プロジェクタモード操作メニュー１３０ｇ乃至１３０ｈへ戻る（Ｓ２２０）。なお、表示設定の確認において、Ｎｉｎ１表示（Ｓ２３８  Ｎｉｎ１）であると判断された場合の説明については前述した通りであるため省略する。
【０１２２】
一方で、一定時間以内に読取り面裏移動ステータスを受信しない場合（Ｓ２４８  ＮＯ）、プロジェクタ投影画像用カウンタｎをインクリメントし（Ｓ２４９）、さらにプロジェクタによって投影していないことを示すプロジェクタ非投影カウンタｍもインクリメントした後（Ｓ２５０）、画像情報と該カウンタｎ、ｍを対にしてＲＡＭ１１２へ保存する（Ｓ２５１）。保存後は、プロジェクタモード操作メニュー１３０ｇ乃至１３０ｈへ戻る（Ｓ２２０）。
【０１２３】
図１４は「（３）印刷」の動作フローである。
【０１２４】
プロジェクタモード操作メニュー１３０ｇで「（３）印刷」が選択された場合、ＣＰＵ１１１は、印刷対象として投影中の画像と、ＲＡＭ１１２に保存されている画像とのどちらを選択するかの選択画面をタッチパネル１３０に表示し（Ｓ２６０）、ユーザーからの入力を待つ（Ｓ２６１）。その際に表示される印刷対象選択画面１３０ｊの一例を図５に示す。
【０１２５】
投影中の画像の印刷が選択された場合（Ｓ２６１  投影）、ＣＰＵ１１１は、投影中の表示設定が１ｉｎ１表示とＮｉｎ１表示のどちらであるかの確認を行う（Ｓ２６２）。
【０１２６】
１ｉｎ１表示の場合（Ｓ２６２  １ｉｎ１表示）、ＣＰＵ１１１は、投影中の画像１ページ分を印刷する（Ｓ２６３）。また、Ｎｉｎ１表示の場合（Ｓ２６２Ｎｉｎ１表示）、ＣＰＵ１１１は、投影中の画像Ｎページ分をＮｉｎ１画像として印刷する（Ｓ２６４）。印刷終了後、プロジェクタモード操作メニュー１３０ｇ乃至１３０ｈへ戻る（Ｓ２２０）。
【０１２７】
一方で、ＲＡＭ１１２に保存されている画像情報に基づく画像の印刷が選択された場合（Ｓ２６１  メモリ）、ＣＰＵ１１１は、図７の印刷画像選択画面３０１を設定されているプロジェクタによって投影し（Ｓ２６５）、ユーザーからの入力を待つ（Ｓ２６６）。なお、ユーザーによる入力は、オペレーションパネル１１６を介して行われる。
【０１２８】
ユーザーにより印刷対象の画面が選択された場合（Ｓ２６６  画像選択）、選択された画面を印刷した後（Ｓ２６７）、プロジェクタモード操作メニュー１３０ｇ乃至１３０ｈへ戻る（Ｓ２２０）。なお、ステップＳ２６６において、Ｓｔｏｐ／Ｒｅｓｅｔキー１３７が押下された場合、ＣＰＵ１１１は、タッチパネル１３０に印刷対象選択画面１３０ｊを再表示する（Ｓ２６０）。また、選択される画像の数は、ユーザーの要望に応じて複数選択されてもよい。
【０１２９】
このように、プロジェクタモード操作メニュー１３０ｇにおいて「（３）印刷」を選択することによって、ユーザーは画像を設定されているプロジェクタに投影するだけでなく投影中の画像を直ちに印刷することや、ＲＡＭ１１２に保存されている画像情報に基づく画像を会議中に直ちに印刷することが出来る。これにより、例えば、視力の低いユーザーや障害物により投影されている画像を確認できないユーザーがいる際に、印刷された資料を会議者へ配布することが出来るので会議者全員で情報共有することが出来、より円滑に会議を進めることが出来る。
【０１３０】
図１５、図１６は「（４）表示切替」の動作フローである。
【０１３１】
プロジェクタモード操作メニュー１３０ｈで「（４）表示切替」が選択された場合、ＣＰＵ１１１は、表示切替対象である画像の選択画面をタッチパネル１３０に表示し（Ｓ２７０）、ユーザーからの入力を待つ（Ｓ２７１）。その際に表示される表示切替選択画面１３０ｋの一例を図５に示す。ここでは、設定されているプロジェクタによって投影中の表示形式を他の表示形式へ切り替える。例えば、Ｎｉｎ１表示を１ｉｎ１表示へ切り替える。また、表示対象をＲＡＭ１１２に保存されている画像情報に基づく画像の中から選択して切替ることが出来る。なお、ステップＳ２７１において、Ｓｔｏｐ／Ｒｅｓｅｔキー１３７が押下された場合は、プロジェクタモード操作メニュー１３０ｇ乃至１３０ｈへ戻る（Ｓ２２０）。
【０１３２】
投影中の画像の表示切替が選択された場合（Ｓ２７１  投影）、ＣＰＵ１１１は、現時点での表示設定を確認する（Ｓ２７２（図１６参照））。
【０１３３】
１ｉｎ１表示の場合（Ｓ２７２  １ｉｎ１表示）、画像・各Ｉ／Ｆ処理部１２０は、ＣＰＵ１１１の指示に従って投影中の画像をＮｉｎ１表示に切り替える（Ｓ２７３）。その後の動作フローであるＳ２４０ｂ〜Ｓ２４６ｂについては、図１３のＳ２４０ａ〜Ｓ２４６ａと同様なので省略する。
【０１３４】
Ｎｉｎ１表示の場合（Ｓ２７２  Ｎｉｎ１）、画像・各Ｉ／Ｆ処理部１２０は、ＣＰＵ１１１の指示に従って１ｉｎ１表示に切り替えて（Ｓ２７４）、Ｎｉｎ１で表示された画像の最大カウンタｎを１ｉｎ１画像として投影し（Ｓ２７５）、その後にプロジェクタモード操作メニュー１３０ｇ乃至１３０ｈへ戻る（Ｓ２２０）。
【０１３５】
一方、ＲＡＭ１１２に保存されている画像への表示切替が選択された場合（Ｓ２７１  メモリ（図１５参照）、図７の表示画像切替選択画面３０２を設定されているプロジェクタによって投影し（Ｓ２７６）、ユーザーからの入力を待つ（Ｓ２７７）。なお、ユーザーによる入力は、オペレーションパネル１１６を介して行われる。
【０１３６】
ユーザーにより表示対象の画面が選択された場合（Ｓ２７７  表示画像選択）、ＣＰＵ１１１は、選択された画面をタッチパネル１３０に表示した後（Ｓ２７８）、プロジェクタモード操作メニュー１３０ｇ乃至１３０ｈへ戻る（Ｓ２２０）。なお、ステップＳ２７７において、Ｓｔｏｐ／Ｒｅｓｅｔキー１３７が押下された場合は、ＣＰＵ１１１はタッチパネル１３０に表示切替選択画面１３０ｋを再表示する（Ｓ２７０）。
【０１３７】
図１７は、「（５）削除」の動作フローである。
【０１３８】
プロジェクタモード操作メニュー１３０ｈで「（５）削除」が選択された場合、ＣＰＵ１１１は、削除対象である画像の選択画面をタッチパネル１３０に表示し（Ｓ２８０）、ユーザーからの入力を待つ（Ｓ２８１）。その際に表示される削除選択画面１３０ｌの一例を図５に示す。ここでは、設定されているプロジェクタによって投影中の画像と、ＲＡＭ１１２に保存されている画像とのどちらかを選択して削除することが出来る。なお、ステップＳ２８１において、Ｓｔｏｐ／Ｒｅｓｅｔキー１３７が押下された場合は、プロジェクタモード操作メニュー１３０ｇ乃至１３０ｈへ戻る（Ｓ２２０）。
【０１３９】
投影中の画像の削除が選択された場合（Ｓ２８１  投影）、ＣＰＵ１１１は、現時点での表示設定を確認する（Ｓ２８２）。
【０１４０】
１ｉｎ１表示の場合（Ｓ２８２  １ｉｎ１）、ＣＰＵ１１１は、投影中の画像１ページ分を削除する（Ｓ２８３）。また、Ｎｉｎ１表示の場合（Ｓ２８２  Ｎｉｎ１）、ＣＰＵ１１１は、投影中の画像Ｎページ分を削除する（Ｓ２８４）。例えば、４ｉｎ１で表示されている際には４ページ分の画像が削除される。削除終了後、プロジェクタモード操作メニュー１３０ｇ乃至１３０ｈへ戻る（Ｓ２２０）。
【０１４１】
一方、ＲＡＭ１１２に保存されている画像の削除が選択された場合（Ｓ２８１  メモリ）、ＣＰＵ１１１は、図７の削除画像選択画面３０３を設定されているプロジェクタによって投影し（Ｓ２８５）、ユーザーからの入力を待つ（Ｓ２８６）。なお、ユーザーによる入力は、オペレーションパネル１１６を介して行われる。
【０１４２】
ユーザーにより削除対象の画面が選択された場合（Ｓ２８６  ＹＥＳ）、選択された画面を削除した後（Ｓ２８７）、プロジェクタモード操作メニュー１３０ｇ乃至１３０ｈへ戻る（Ｓ２２０）。なお、ステップＳ２８６において、Ｓｔｏｐ／Ｒｅｓｅｔキー１３７が押下された場合は、タッチパネル１３０に削除選択画面１３０ｌを再表示する（Ｓ２８０）。
【０１４３】
図１８は、キャリッジ移動タイプのホワイトボード１０２ｂから読取り面裏移動ステータスを例外的に受信して画像を投影する際の動作フローを示している。
【０１４４】
図１１、図１２のスキャンの動作フローにおいて、キャリッジ移動タイプのホワイトボード１０２ｂの場合には、描画された画像がスキャナにより読取られた後（Ｓ２４７）、ホワイトボード面の表裏反転がなされないまま画像が消されてしまうことによって画像が投影されないことが考えられる。
【０１４５】
本動作フローは、ホワイトボード面の画像が消された場合においても、ホワイトボード面を裏に移動することによりＲＡＭ１１２に記憶されている該画像を非投影カウンタｍに基づいて投影することを示している。つまり、非投影カウンタｍは、プロジェクタ投影画像用のカウンタｎに基づいて投影されなかった画像情報を示している。
【０１４６】
例えば、投影されずにホワイトボード面の画像が消されてしまった場合においても、ホワイトボード面下部中央に配置されたロックを外してホワイトボード面を表裏反転し、再度ロックすることで読取り面裏移動ステータスが送信される。
【０１４７】
そして、ＣＰＵ１１１は、読取り面裏移動ステータスを受信すると（Ｓ２２６  ＹＥＳ（図１０参照））、表示設定を１ｉｎ１表示に設定し（Ｓ２９０）、非投影カウンタｍの値が最も大きいものを設定されているプロジェクタに投影する（Ｓ２９１）。
【０１４８】
これにより、キャリッジ移動タイプのホワイトボード１０２ｂにおいて、描画された画像がスキャナにより読取られた後（Ｓ２４７）、ホワイトボード面の回転がなされないまま画像が消されてしまったとしても、例外的に読取り面裏移動ステータスを受信することで非投影カウンタｍの値が最も大きい削除された画像を設定されているプロジェクタに投影することが可能となる。よって、ホワイトボード１０２ｂのホワイトボード面に描画された画像が投影されないといった事態を回避することが出来る。
【０１４９】
以上、本発明の実施形態を図面によって説明してきたが、具体的な構成は実施の形態に示したものに限られるものではなく、本発明の要旨を逸脱しない範囲における変更や追加があっても本発明に含まれる。
【０１５０】
上記本発明の実施形態によれば、ホワイトボード１０２のホワイトボード面に描画された画像が、読取り面裏移動ステータスを複合機１０１が受信することにより、プロジェクタ１０３によって自動的に投影されるので、ユーザーは投影された画像を確認しながら会議での議論を円滑に進めることが出来る。
【０１５１】
また、本発明の実施の形態においては、記憶部に記憶された画像情報に基づくプレビュー画像を表示部であるオペレーションパネル１１６に表示することにより、ユーザーはオペレーションパネルを介してプレビュー画像を確認することができる。さらには、表示されたプレビュー画像を選択可能にすることで、プレビュー画像の画像情報について印刷、削除、投影の実行を選択することが出来る。
【０１５２】
また、本発明の実施の形態においては、記憶部に画像情報を複数頁分記憶した場合に、自動的にＮｉｎ１の複数頁画像情報を作成した後に複数頁画像情報を投影装置に送信する。さらには、記憶部に画像情報を２頁分記憶した場合に自動的に２ｉｎ１の複数頁画像情報を作成し、且つ、記憶部に画像情報を３頁分以上記憶した場合に自動的に４ｉｎ１の複数頁画像情報を作成する。これにより、ユーザーは、煩雑な設定をすることなく一度に多くの画像情報に基づく画像を確認することが出来る。
【０１５３】
また、本発明の実施の形態においては、記憶部に記憶された画像情報を他の会議室に設置された外部プロジェクタによって投影することが可能なため、他の会議室の参加者と情報を共有することが出来る。なお、会議室の数に制限はなく、必要に応じて複数個所の会議室に同一の画像を投影させることも出来る。よって、異なる会議室と容易に情報を共有することが可能となる。
【０１５４】
また、本発明の実施の形態においては、機密保持の観点から画像情報をＲＡＭ１１２に記憶させることとしたが、必要に応じてハードディスク、ＥＥＰＲＯＭ（Electronically Erasable and Programmable Read Only Memory）、ＵＳＢメモリ、など様々な記憶媒体に記憶させてもよい。
【０１５５】
また、本発明の実施形態においては、複合機１０１が画像情報を取得した後に読取り面裏移動ステータスを受信することとしたが、これに限定されず、どちらが先であってもよい。例えば、ホワイトボード１０２のスキャナの位置によっては、ホワイトボード１０２のホワイトボード面が裏に隠れた後に画像の読取りが行われことが考えられる。
【０１５６】
また、複合機１０１とホワイトボード１０２及びプロジェクタ１０３への接続は、有線通信以外に、無線ＬＡＮや赤外線通信やＢｌｕｅｔｏｏｔｈ（商標登録）などの無線通信を用いてもよい。
【０１５７】
また、記憶部であるＲＡＭ１１２に画像情報を複数記憶した場合に自動で２ｉｎ１画像情報や４ｉｎ１画像情報を作成したが、これに限定されず、必要に応じて３ｉｎ１画像情報や５ｉｎ１画像情報など作成してもよい。
【符号の説明】
【０１５８】
１００  画像投影システム
１０１  複合機（画像形成装置）
１０２  ホワイトボード（描画装置）
１０２ａ  シートフィードタイプのホワイトボード（描画装置）
１０２ｂ  キャリッジ移動タイプのホワイトボード（描画装置）
１０３  プロジェクタ（投影装置）
１０４  ネットワーク
１０５  外部プロジェクタ（投影装置）
１１１  ＣＰＵ（制御部）
１１２  ＲＡＭ（記憶部）
１１３  ＲＯＭ
１１４  モータードライバ
１１５  ＩＲ／ＡＤＦモーター
１１６  オペレーションパネル（操作部）
１１７  収納部
１１８  排紙部
１１９  モデム（第二の送信部）
１２０  画像・各Ｉ／Ｆ処理部
１２１  ＣＣＤ（画像読取部）
１２２  ＵＳＢＩ／Ｆ
１２３  ＮＩＣＩ／Ｆ（第二の送信部）
１２４  ＨｏｓｔＵＳＢＩ／Ｆ（受信部）
１２５  ＶＩＤＥＯＩ／Ｆ（第一の送信部）
１２６  画像処理用ＲＡＭ（記憶部）
１２７  プリントエンジン（画像形成部）
１３０  タッチパネル（表示部）
１３１  操作キー群
１３２  Ｐｒｏｊｅｃｔｏｒキー
１３３  Ｓｃａｎキー
１３４  Ｃｏｐｙキー
１３５  Ｆａｘキー
１３６ａ  Ｂ＆ＷＳｔａｒｔキー
１３６ｂ  ＣｏｌｏｒＳｔａｒｔキー
１３７  Ｓｔｏｐ／Ｒｅｓｅｔキー
【図１】
2011166201.tif 000003
【図２】
2011166201.tif 000004
【図３】
2011166201.tif 000005
【図４】
2011166201.tif 000006
【図５】
2011166201.tif 000007
【図６】
2011166201.tif 000008
【図７】
2011166201.tif 000009
【図８】
2011166201.tif 000010
【図９】
2011166201.tif 000011
【図１０】
2011166201.tif 000012
【図１１】
2011166201.tif 000013
【図１２】
2011166201.tif 000014
【図１３】
2011166201.tif 000015
【図１４】
2011166201.tif 000016
【図１５】
2011166201.tif 000017
【図１６】
2011166201.tif 000018
【図１７】
2011166201.tif 000019
【図１８】
2011166201.tif 000020